(57)【要約】【課題】製造コストを低減することができる表示装置を提供する。【解決手段】表示部１１及びスピーカユニット３は、何れもスタンド２０１に取り付けられている。即ち、スピーカユニット３は、表示部１１とスタンド２０１との間に介在していない。これは、スタンド２０１が表示部１１を支持する機能とスピーカユニット３の有無とは無関係であることを意味する。故に、スピーカユニット３を備えているタイプの表示装置１と、スピーカユニット３を備えていないタイプの表示装置とで、少なくとも表示部１１の共通化を図ることができる。しかも、スタンド２０１及びスピーカユニット３に設けられている位置決め部同士の嵌合により、スタンド２０１とスピーカユニット３とを連結する場合の作業性を向上させることができる。以上の結果、製造コストを低減することができる。【選択図】図２
2015230460.tif 000002
【特許請求の範囲】
【請求項１】
表示部と、
該表示部に取り付けられている支柱部、及び該支柱部を支持する脚部を有するスタンドと、
スピーカ、及び該スピーカを支持する支持体を有するスピーカユニットと
を備える表示装置において、
前記支柱部及び支持体夫々には、相互に嵌合する位置決め部が設けられており、
前記支持体は前記支柱部に取り付けられていることを特徴とする表示装置。
【請求項２】
前記支持体（又は支柱部）には、一端側の開口が前記支柱部（又は前記支持体）に臨む弾性筒状部材が配されており、
前記位置決め部の一方は前記弾性筒状部材の内部を用いてなり、
前記位置決め部の他方は、先端部分が先細りの柱状部を有し、該柱状部に溝が周設されており、前記柱状部の最大外径は前記弾性筒状部材の内径以上であり、前記柱状部が前記弾性筒状部材の内部に対して嵌脱可能に嵌合していることを特徴とする請求項１に記載の表示装置。
【請求項３】
前記支持体は棒状をなし、長さ方向に交差する方向の溝状の嵌合凹部が設けられており、該嵌合凹部に前記支柱部が嵌合してあることを特徴とする請求項１又は２に記載の表示装置。
【請求項４】
前記スタンドを２個備えており、
前記位置決め部の一方は凸状であって各支柱部に設けられており、
前記位置決め部の他方は凹状であって前記支持体に２個設けられており、
前記支持体は、２個の前記スタンド夫々の支柱部に亘って取り付けられていることを特徴とする請求項１から３の何れかひとつに記載の表示装置。
【請求項５】
前記位置決め部の一方は凹状であって前記支柱部に設けられており、
前記位置決め部の他方は凸状であって支持体に設けられていることを特徴とする請求項１から３の何れかひとつに記載の表示装置。
【発明の詳細な説明】
【技術分野】
【０００１】
本発明は、表示部、スタンド、及びスピーカユニットを備える表示装置に関する。
【背景技術】
【０００２】
近年、横棒状のスピーカユニット（いわゆるサウンドバー）を備える表示装置が提案されている（特許文献１参照）。
特許文献１に記載の表示装置は据え置き型であり、矩形パネル状の薄型テレビが、スピーカ内蔵テレビスタンドに支持されてなる。この表示装置においては、横棒状をなし、両端部に一対のスピーカが配されているテレビ取付部が、サウンドバーに相当する。テレビ取付部は、長さ方向の中央部にて薄型テレビを支持している。
スピーカ内蔵テレビスタンドは、サウンドバーの他に、基台部と、基台部及びテレビ取付部を連結する支柱部と、基台部を支持する脚部とを有する。
【０００３】
つまり、特許文献１に記載の表示装置においては、サウンドバーはスピーカ内蔵テレビスタンドの一部である。
【先行技術文献】
【特許文献】
【０００４】
【特許文献１】特開２００９−２３２１３４号公報
【発明の概要】
【発明が解決しようとする課題】
【０００５】
ところで、サウンドバーを備えていない従来の据え置き型の表示装置は、表示部と、表示部に直接的に取り付けられている支柱部、及びこの支柱部を支持する脚部を有するスタンドとを備えている。
サウンドバーを備えていない据え置き型の表示装置の部品と、サウンドバーを備えている据え置き型の表示装置の部品とは、可及的共通化された構造を有していることが望ましい。何故ならば、部品を共通化すれば、製造コストを低減することができるからである。
【０００６】
しかしながら、特許文献１に記載のスピーカ内蔵テレビスタンドは、サウンドバーを排除すると、薄型テレビを支持することができない。即ち、サウンドバーを備えていないタイプとの部品の共通化が不可能である。
【０００７】
本発明は斯かる事情に鑑みてなされたものであり、その主たる目的は、製造コストを低減することができる表示装置を提供することにある。
【課題を解決するための手段】
【０００８】
本発明に係る表示装置は、表示部と、該表示部に取り付けられている支柱部、及び該支柱部を支持する脚部を有するスタンドと、スピーカ、及び該スピーカを支持する支持体を有するスピーカユニットとを備える表示装置において、前記支柱部及び支持体夫々には、相互に嵌合する位置決め部が設けられており、前記支持体は前記支柱部に取り付けられていることを特徴とする。
【０００９】
本発明に係る表示装置は、前記支持体（又は支柱部）には、一端側の開口が前記支柱部（又は前記支持体）に臨む弾性筒状部材が配されており、前記位置決め部の一方は前記弾性筒状部材の内部を用いてなり、前記位置決め部の他方は、先端部分が先細りの柱状部を有し、該柱状部に溝が周設されており、前記柱状部の最大外径は前記弾性筒状部材の内径以上であり、前記柱状部が前記弾性筒状部材の内部に対して嵌脱可能に嵌合していることを特徴とする。
【００１０】
本発明に係る表示装置は、前記支持体は棒状をなし、長さ方向に交差する方向の溝状の嵌合凹部が設けられており、該嵌合凹部に前記支柱部が嵌合してあることを特徴とする。
【００１１】
本発明に係る表示装置は、前記スタンドを２個備えており、前記位置決め部の一方は凸状であって各支柱部に設けられており、前記位置決め部の他方は凹状であって前記支持体に２個設けられており、前記支持体は、２個の前記スタンド夫々の支柱部に亘って取り付けられていることを特徴とする。
【００１２】
本発明に係る表示装置は、前記位置決め部の一方は凹状であって前記支柱部に設けられており、前記位置決め部の他方は凸状であって支持体に設けられていることを特徴とする。
【発明の効果】
【００１３】
本発明の表示装置による場合、表示部及びスピーカユニットの支持体は、何れもスタンドの支柱部に取り付けられている。即ち、スピーカユニットは、表示部とスタンドとの間に介在していない。これは、スタンドが表示部を支持する機能とスピーカユニットの有無とは無関係であることを意味する。
故に、スピーカユニットを備えているタイプと、スピーカユニットを備えていないタイプとで、少なくとも表示部の共通化を図ることができる。
【００１４】
しかも、支柱部及び支持体夫々に設けられている位置決め部が相互に嵌合することにより、スタンドとスピーカユニットとを連結する場合の作業性を向上させることができる。
以上の結果、製造コストを低減することができる。
【図面の簡単な説明】
【００１５】
【図１】本発明の実施の形態１に係る表示装置の外観を示す正面側の斜視図である。
【図２】表示装置の外観を示す背面側の斜視図である。
【図３】表示装置が備える表示部及びスタンドの構成を示す背面側の斜視図である。
【図４】表示装置が備えるスタンド及びスピーカユニットの構成を示す正面側の斜視図である。
【図５】表示装置が備えるスタンド及びスピーカユニットの構成を示す背面側の斜視図である。
【図６】表示装置が備えるスタンド及びスピーカユニットの連結部分の構成を示す断面図である。
【図７】スタンドの構成を示す斜視図である。
【図８】スピーカユニットの構成を示す背面図である。
【図９】表示装置の組み立て手順を説明するための断面図である。
【図１０】本発明の実施の形態２に係る表示装置の組み立て手順を説明するための断面図である。
【図１１】本発明の実施の形態３に係る表示装置が備えるスタンド及びスピーカユニットの構成を示す背面側の斜視図である。
【発明を実施するための形態】
【００１６】
以下、本発明を、その実施の形態を示す図面に基づいて詳述する。以下の説明では、図において矢符で示す上下、前後、及び左右を使用する。
【００１７】
（実施の形態  １．）
図１は、本発明の実施の形態１に係る表示装置１の外観を示す正面側の斜視図である。図２は、表示装置１の外観を示す背面側の斜視図である。
表示装置１は据え置き型であり、テレビジョン受信機として構成されている。表示装置１は、表示部１１、左右２個のスタンド２０１，２０２、及びスピーカユニット３を備えている。
【００１８】
図３は、表示部１１及びスタンド２０１，２０２の構成を示す背面側の斜視図である。
図４は、スタンド２０１，２０２及びスピーカユニット３の構成を示す正面側の斜視図である。
図５は、スタンド２０１，２０２及びスピーカユニット３の構成を示す背面側の斜視図である。
図６は、スタンド２０１及びスピーカユニット３の連結部分の構成を示す断面図である。
図７は、スタンド２０１の構成を示す斜視図である。
図８は、スピーカユニット３の構成を示す背面図である。
【００１９】
まず、図１〜図３を参照しつつ、表示部１１の構成について説明する。
表示部１１は、矩形状の表示パネル１１１と、矩形枠状のフロントキャビネット１１２及び矩形皿状のリアキャビネット１１３を用いてなるキャビネット１１０とを有している。
表示パネル１１１はキャビネット１１０に収容されている。表示パネル１１１の表示面は、フロントキャビネット１１２の開口を通して露出している。
【００２０】
リアキャビネット１１３の下辺部には、後ろ向きに開口している横長の挿入凹部１１４が形成されている。挿入凹部１１４の形成位置は、リアキャビネット１１３の下辺部における左右方向の中心位置である。
キャビネット１１０の下部には、挿入穴１１５，１１６が配されている。
挿入穴１１５，１１６夫々は、キャビネット１１０の下部にて下向きに開口している。挿入穴１１５（及び挿入穴１１６）の横方向の位置は、挿入凹部１１４よりも左側（及び右側）である。挿入穴１１５，１１６夫々の挿入凹部１１４からの離隔距離は等しい。
【００２１】
表示部１１には、図示しない内蔵スピーカと、受信部１２とが内蔵されている。
受信部１２は、図示しないアンテナを介して外部からテレビジョン放送を受信する受信回路と、この受信回路が実装された回路基板とを有する。受信部１２は、受信したテレビジョン放送から放送信号を取り出す。取り出された放送信号は、所定の信号処理を施されることによって、映像データ及び音声データに変換される。その後、映像データは表示部１１に与えられる。音声データは、内蔵スピーカと後述するスピーカ３１，３１，…との内の何れか一方に与えられる。
【００２２】
次に、図１〜図７を参照しつつ、スタンド２０１，２０２の構成について説明する。
左側のスタンド２０１の形状と右側のスタンド２０２の形状とは互いに鏡像をなしている。以下では、左側のスタンド２０１の構成について詳述する。
スタンド２０１は、支柱部２１及び脚部２２を有している。
脚部２２は、机上又は床面等に直接的に載置される部分である。脚部２２は、連結部材２２１及びネジ２２２，２２２，…によって、支柱部２１の下端部に連結されている。この結果、脚部２２は支柱部２１を支持する。支柱部２１を支持した脚部２２が机上又は床面等に載置されると、支柱部２１は縦姿勢で配される。
【００２３】
支柱部２１は、水平断面がコ字状の柱状部材２１１を用いてなる。柱状部材２１１は、側面部２１ａと前面部２１ｂ及び後面部２１ｃとを一体に有している。左側のスタンド２０１における側面部２１ａは右面部である。前面部２１ｂ及び後面部２１ｃは、側面部２１ａの前後両端部から左方へ突出している。一方、右側のスタンド２０２における側面部２１ａは左面部である。前面部２１ｂ及び後面部２１ｃは、側面部２１ａの前後両端部から右方へ突出している。
【００２４】
柱状部材２１１の内周面には、水平断面がコ字状の補強部材２１２がネジ留めされている。
支柱部２１には、柱状部材２１１の前面部２１ｂとを前後方向に貫通する雌ネジ２１３が形成されている。
支柱部２１には、柱状部材２１１の前面部２１ｂ及び後面部２１ｃと補強部材２１２とを前後方向に貫通する複数個の貫通孔が形成されている。
【００２５】
本実施の形態の支柱部２１には、位置決め凸部（位置決め部）４が設けられている。
位置決め凸部４は金属製であり、先端部分が先細りの円柱状の柱状部４１と、柱状部４１の基端面に突設してある雄ネジ４２とを一体に有する。
雄ネジ４２は、支柱部２１の前側から支柱部２１の雌ネジ２１３に螺合している。この結果、柱状部４１は、支柱部２１の前面部２１ｂから前方へ突出する。
柱状部４１の前後方向中央部には、複数本の溝４３，４３，…が周設（周方向に形成）してある。
このような位置決め凸部４は、例えば図示しない金属柱を切削することによって形成される。
【００２６】
次に、図１、図２、図４〜図８を参照しつつ、スピーカユニット３の構成について説明する。
スピーカユニット３は、複数個（図中４個）のスピーカ３１，３１，…と、スピーカ３１，３１，…を支持する支持体３２とを有する。
各スピーカ３１は、前方へ音声を出力する。
【００２７】
支持体３２は、中空棒状の筐体３２１を用いてなる。筐体３２１は、スピーカ３１，３１，…夫々の一部が露出した状態でこれらを支持している。支持体３２に支持されているスピーカ３１，３１，…は、筐体３２１の左端部側及び右端部側に同数個（図中２個）ずつ離隔配置されている。
筐体３２１の後部における左右方向中央部には、上側及び後ろ側に向けて開口している取付凹部３２２が設けられている。
筐体３２１の後部における左端部（及び右端部）には、上下両側及び後ろ側に向けて開口している上下方向の溝状の嵌合凹部３３（及び嵌合凹部３４）が設けられている。嵌合凹部３３（及び嵌合凹部３４）の位置は、左側（及び右側）の２個のスピーカ３１，３１よりも更に左側（及び右側）である。
【００２８】
嵌合凹部３３，３４夫々の内面には、後方に臨む開口３２３が設けられている。各開口３２３は、筐体３２１の内側から、板金部材３２４によって閉塞されている。ただし、板金部材３２４には、開口３２３に臨む円形の貫通孔３２５が形成されている。
【００２９】
支持体３２には、２個の位置決め凹部（位置決め部）５，５が、嵌合凹部３３，３４に一対一対応で設けられている。
各位置決め凹部５は、円形の貫通孔状をなしている。位置決め凹部５は、円筒状の弾性筒状部材５１の内部である。
弾性筒状部材５１は、例えばゴムブッシュである。弾性筒状部材５１の外形は、貫通孔３２５の内径以上である。弾性筒状部材５１の内径（即ち位置決め凹部５の内径）は、位置決め凸部４の柱状部４１の最大外径以下である。
【００３０】
弾性筒状部材５１の後端部にはフランジが設けられている。弾性筒状部材５１は、フランジ部分が貫通孔３２５の開口周縁部に係合するようにして、貫通孔３２５に後ろ側から無理嵌めされている。故に、弾性筒状部材５１は、フランジ部分を除いて筐体３２１に収容されている。
位置決め凹部５は、開口３２３と貫通孔３２５とを通して、嵌合凹部３３，３４の何れか一方に連通している。
【００３１】
次に、図１、図２、及び図６を参照し、表示部１１とスタンド２０１，２０２との位置関係について説明する。
スタンド２０１，２０２は、表示部１１に取り付けられている。このために、スタンド２０１，２０２の支柱部２１，２１は、表示部１１の挿入穴１１５，１１６に下側から挿入されて、表示部１１にネジ留めされている。この結果、スタンド２０１，２０２の脚部２２，２２が机上又は床面等に載置されると、表示部１１は縦姿勢で配される。
【００３２】
次に、図１、図２、及び図４〜図６を参照し、スタンド２０１，２０２とスピーカユニット３との位置関係について説明する。
スピーカユニット３の支持体３２は、左右方向に離隔配置されているスタンド２０１，２０２の支柱部２１，２１に亘って、横姿勢で支柱部２１，２１に取り付けられている（具体的にはネジ留めされている）。
【００３３】
このとき、スタンド２０１の支柱部２１は、スピーカユニット３の支持体３２の嵌合凹部３３に嵌合している。スタンド２０１の支柱部２１に設けられている位置決め凸部４は、スピーカユニット３に設けられている位置決め凹部５，５の内、嵌合凹部３３に連通しているものに嵌め合わされている。このために、弾性筒状部材５１の後ろ側の開口は、支柱部２１に臨んでる。
同様に、スタンド２０２の支柱部２１は、スピーカユニット３の支持体３２の嵌合凹部３４に嵌合している。スタンド２０２の支柱部２１に設けられている位置決め凸部４は、スピーカユニット３に設けられている位置決め凹部５，５の内、嵌合凹部３４に連通しているものに嵌め合わされている。
【００３４】
位置決め凸部４と位置決め凹部５との嵌合は、各位置決め凸部４の柱状部４１が、後ろ側から位置決め凹部５に嵌め込まれていることによる。柱状部４１の嵌め込みによって、位置決め凹部５の内径は拡張されている。このとき、弾性筒状部材５１に生じる弾性復元力（さらに詳細には、位置決め凹部５の内径を縮小させる方向の弾性復元力）が、柱状部４１の位置決め凹部５からの脱落を抑制している。
位置決め凹部５に対する位置決め凸部４の固定は弾性筒状部材５１の弾性復元力によるものであるので、位置決め凸部４と位置決め凹部５との嵌合は嵌脱可能である。
【００３５】
スタンド２０１，２０２の支柱部２１，２１が、スピーカユニット３の支持体３２に設けられている嵌合凹部３３，３４に嵌合しているので、スタンド２０１，２０２夫々の支柱部２１とスピーカユニット３の支持体３２との連結部分はコンパクトな構造である。
【００３６】
次に、図１、図２、及び図６を参照し、表示部１１とスピーカユニット３との位置関係について説明する。
スピーカユニット３は、表示部１１のキャビネット１１０の下辺部に沿って配されている。
スピーカユニット３の筐体３２１における左右方向中央部は、断面Ｌ字状の取付金具３２７を介して、リアキャビネット１１３の下辺部における左右方向中央部に取り付けられている。この結果、筐体３２１が下方に撓むことが抑制されている。
【００３７】
更に詳細には、取付金具３２７は、Ｌ字の一側がリアキャビネット１１３の挿入凹部１１４に挿入されており、Ｌ字の他側が筐体３２１の取付凹部３２２の内部に配されている。そして、取付金具３２７は、リアキャビネット１１３及び筐体３２１夫々にネジ留めされている。
表示部１１のリアキャビネット１１３とスピーカユニット３の筐体３２１との連結部分（具体的には、挿入凹部１１４、取付凹部３２２、及び取付金具３２７）は、図示しないカバーによって、後ろ側から目隠しされている。このカバーは、取付金具３２７と共に、リアキャビネット１１３に共締めしてある。
なお、筐体３２１の下方への撓みが生じる虞がないのであれば、表示部１１とスピーカユニット３との連結は不要である。
【００３８】
図９は、表示装置１の組み立て手順を説明するための断面図である。図９には、スピーカユニット３に対するスタンド２０１の取り付け手順が示されている。
まず、作業者は、スピーカユニット３に対してスタンド２０１，２０２を取り付ける。このために、作業者は、スタンド２０１，２０２に設けられている位置決め凸部４，４を、スピーカユニット３に設けられている位置決め凹部５，５に、後ろ側から挿入する。
【００３９】
この結果、スピーカユニット３に対して２個のスタンド２０１，２０２が位置決めされ、且つ、仮止めされる。
また、スピーカユニット３を介して、２個のスタンド２０１，２０２が一体化される。前述したように、位置決め凹部５，５からの位置決め凸部４，４の脱落が抑制されているので、一体化されたスタンド２０１，２０２が、無用に分離することはない。
【００４０】
位置決め凹部５に対する位置決め凸部４の挿入は容易である。何故ならば、位置決め凸部４の柱状部４１は先細りの先端部分を有するので、柱状部４１が円滑に位置決め凹部５に進入するからである。また、位置決め凸部４の柱状部４１には溝４３，４３，…が形成されているので、柱状部４１の外周面と位置決め凹部５の内周面との摩擦が生じ難いからである。更に、取り付ける側（作業者が手で動かす側）のスタンド２０１，２０２の支柱部２１，２１に位置決め凸部４，４が設けられ、取り付けられる側（静止している側）のスピーカユニット３の支持体３２に位置決め凹部５，５が設けられているからである。
【００４１】
ところで、説明を簡単にするために、図９に示すスピーカユニット３とスタンド２０１との位置関係及び夫々の姿勢は、図１、図２、及び図４〜図６に示す位置関係及び夫々の姿勢と同じである。しかしながら、実際の取り付け作業においては、例えば作業台の上にスピーカユニット３を寝かせ置き、上側からスタンド２０１，２０２をスピーカユニット３に取り付ける方が、作業性が高い。
【００４２】
次に、作業者は、一体化されたスタンド２０１，２０２の支柱部２１，２１を、表示部１１の挿入穴１１５，１１６に下側から挿入する（図３参照）。
この後、作業者は、スタンド２０１，２０２の支柱部２１，２１を表示部１１にネジ留めする。また、作業者は、取付金具３２７を挿入凹部１１４に挿入して、リアキャビネット１１３及び支持体３２にネジ留めする。更に、作業者は、スタンド２０１，２０２の支柱部２１，２１をスピーカユニット３の支持体３２にネジ留めする。このネジ留めの際には、支柱部２１に形成されている貫通孔に、図示しないネジが挿通される。
以上の結果、スピーカユニット３は、サウンドバーとして機能する。
【００４３】
前述のように、スピーカユニット３に対するスタンド２０１，２０２の取り付け、及び、表示部１１のに対するスタンド２０１，２０２の取り付けは、位置決め凸部４，４と位置決め凹部５，５との嵌合により、作業性が高い。故に、表示装置１の製造コストが低減される。
【００４４】
ここで、スピーカユニット３を介してスタンド２０１，２０２を一体化させてから、スタンド２０１，２０２の支柱部２１，２１を表示部１１に取り付ける理由について説明する。
スピーカユニット３に仮止めされているスタンド２０１，２０２は、離隔距離が一定である。また、スピーカユニット３に仮止めされているスタンド２０１，２０２は、支柱部２１，２１夫々のスピーカユニット３に対する角度、及び、支柱部２１，２１夫々の周方向の向きが一致している。この結果、２つのメリットが生じる。
【００４５】
第１に、スタンド２０１，２０２の支柱部２１，２１を同時的に表示部１１の挿入穴１１５，１１６に挿入することが容易である。従って、一体化されていないスタンド２０１，２０２の支柱部２１，２１を、個別に表示部１１の挿入穴１１５，１１６に挿入する場合よりも、作業性が向上する。
【００４６】
第２に、スタンド２０１，２０２夫々の表示部１１に対する位置、角度、及び向きが一致する。この結果、スタンド２０１，２０２に対する表示部１１の無用な傾斜及び捻じれ等が生じることが抑制される。
仮に、一体化されていないスタンド２０１，２０２の支柱部２１，２１を、個別に表示部１１の挿入穴１１５，１１６に挿入した場合、例えば支柱部２１，２１の一方は深く挿入され、他方は浅く挿入された状態で表示部１１に本止めされることがある。この結果、スタンド２０１，２０２の縦方向に対して表示部１１の縦方向が無用に傾斜してしまう。
【００４７】
以上のような表示装置１において、表示部１１は、受信部１２から与えられた映像データに基づく映像を、表示面に表示する。つまり、表示部１１は、受信部１２が受信したテレビジョン放送に基づく映像を表示する。スピーカ３１，３１，…は、受信部１２から与えられた音声データに基づく音声を出力する。
【００４８】
本発明の実施の形態に係る表示装置１の場合、スピーカユニット３にスタンド２０１，２０２を取り付けることなく、表示部１１にスタンド２０１，２０２を取り付ければ、スピーカユニット３を備えていないタイプの表示装置を容易に得ることができる。
つまり、表示装置１と、スピーカユニット３を備えていないタイプの表示装置とで、表示部１１及びスタンド２０１，２０２が共通化されている。故に、表示装置１及びスピーカユニット３を備えていないタイプの表示装置夫々の製造コストが低減される。
【００４９】
スピーカユニット３を備えていないタイプの表示装置では、位置決め凸部４が支柱部２１から取り外されている。位置決め凸部４が取り外されている支柱部２１には、雌ネジ２１３及び支柱部２１に形成されている貫通孔（スピーカユニット３をネジ留めするためのもの）の少なくとも一方を利用して、これらを目隠しする図示しないカバーが取り付けられていることが望ましい。
また、スピーカユニット３を備えていないタイプの表示装置では、表示部１１の内蔵スピーカが、受信部１２から与えられた音声データに基づく音声を出力する。
【００５０】
なお、表示部１１が内蔵スピーカを備えていない場合、スピーカユニット３を備えていないタイプの表示装置では、表示部１１に、スピーカユニット３とは異なる図示しない据え置き式のスピーカ装置が外付けされる構成でもよい。
【００５１】
ところで、表示装置１は、スピーカユニット３に替えて、２個のスピーカユニットを備えていてもよい。この場合、２個のスピーカユニットは、スタンド２０１，２０２に個別に取り付けられていてもよい。
また、スタンド２０１，２０２の離隔距離が短い場合、スピーカユニット３に替えて非棒状のスピーカユニットが、スタンド２０１，２０２に亘って取り付けられていてもよい。
また、表示装置１は、スタンド２０１，２０２に替えて、１個のスタンドを備えていてもよい。この場合、スピーカユニット３又は非棒状のスピーカユニットが、１個のスタンドに取り付けられていてもよい。
【００５２】
本実施の形態の表示装置１は、スピーカユニット３を備えていないタイプの表示装置に、スピーカユニット３を追加するという手順で組み立てられてもよい。
【００５３】
（実施の形態  ２．）
図１０は、本発明の実施の形態２に係る表示装置１の組み立て手順を説明するための断面図である。図１０には、スタンド２０１に対するスピーカユニット３の取り付け手順が示されている。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００５４】
実施の形態１では、位置決め凸部４，４はスタンド２０１，２０２の支柱部２１，２１に設けてあり、位置決め凹部５，５はスピーカユニット３の支持体３２に設けてある。
本実施の形態では、位置決め凸部４，４は、前後逆の姿勢で、スピーカユニット３の支持体３２に設けてあり、位置決め凹部５，５は、前後逆の姿勢で、スタンド２０１，２０２の支柱部２１，２１に設けてある。
【００５５】
このために、各支柱部２１には、雌ネジ２１３に替えて、貫通孔２１４が形成されている。貫通孔２１４は、実施の形態１の板金部材３２４に形成されている貫通孔３２５に対応する。貫通孔２１４には、弾性筒状部材５１が、弾性筒状部材５１のフランジ部分が貫通孔２１４の開口周縁部に係合するようにして、貫通孔２１４に前側から無理嵌めされている。故に、弾性筒状部材５１は、フランジ部分を除いて支柱部２１の内部に収容されている。
また、支持体３２の各板金部材３２４には、貫通孔３２５に替えて、雌ネジ３２６が形成されている。雌ネジ３２６は、実施の形態１の支柱部２１に形成されている雌ネジ２１３に対応する。雌ネジ３２６には、位置決め凸部４の雄ネジ４２が、板金部材３２４の後ろ側から螺合している。この結果、位置決め凸部４の柱状部４１は、板金部材３２４から前方へ突出する。
【００５６】
表示部１１とスタンド２０１，２０２との位置関係、スタンド２０１，２０２とスピーカユニット３との位置関係、及び表示部１１とスピーカユニット３との位置関係は、実施の形態１と同様である。本実施の形態と実施の形態１との差異は、スピーカユニット３の嵌合凹部３３に係る位置決め凸部４が、スタンド２０１に係る位置決め凹部５に嵌め合わされており、スピーカユニット３の嵌合凹部３４に係る位置決め凸部４が、スタンド２０２に係る位置決め凹部５に嵌め合わされていることである。
【００５７】
本実施の形態の表示装置１は、スピーカユニット３を備えていないタイプの表示装置に、スピーカユニット３を追加するという手順で組み立てられる。
スタンド２０１，２０２の支柱部２１，２１は、予め、表示部１１の挿入穴１１５，１１６に挿入されて、表示部１１に取り付けられている。即ち、スタンド２０１，２０２は、表示部１１を介して一体化している。
作業者は、スタンド２０１，２０２に対してスピーカユニット３を取り付ける。このために、作業者は、スピーカユニット３に設けられている位置決め凸部４，４を、スタンド２０１，２０２に設けられている位置決め凹部５，５に、前側から挿入する。
【００５８】
この結果、スタンド２０１，２０２に対してスピーカユニット３が位置決めされ、且つ、仮止めされる。
位置決め凹部５に対する位置決め凸部４の挿入は容易である。何故ならば、取り付ける側（作業者が手で動かす側）のスピーカユニット３の支持体３２に位置決め凸部４，４が設けられ、取り付けられる側（静止している側）のスタンド２０１，２０２の支柱部２１，２１に位置決め凹部５，５が設けられているからである。
【００５９】
ところで、説明を簡単にするために、図１０に示すスタンド２０１とスピーカユニット３との位置関係及び夫々の姿勢は、実施の形態１の図１、図２、図４〜図６、及び図９に示す位置関係及び夫々の姿勢と同じである。しかしながら、実際の取り付け作業においては、例えば作業台の上に表示部１１及びスタンド２０１，２０２を寝かせ置き、上側からスピーカユニット３をスタンド２０１，２０２に取り付ける方が、作業性が高い。
【００６０】
この後、作業者は、取付金具３２７を挿入凹部１１４に挿入して、リアキャビネット１１３及び支持体３２にネジ留めする。更に、作業者は、スタンド２０１，２０２の支柱部２１，２１をスピーカユニット３の支持体３２にネジ留めする。
以上の結果、スピーカユニット３は、サウンドバーとして機能する。
【００６１】
以上のような表示装置１は、実施の形態１の表示装置１と同様に、部品の共通化及び作業性の向上による製造コストの低減という作用効果を奏する。
なお、本実施の形態の表示装置１は、実施の形態１の表示装置１と略同様の手順で組み立てられてもよい。
【００６２】
（実施の形態  ３．）
図１１は、本発明の実施の形態３に係る表示装置１のが備えるスタンド２０１，２０２及びスピーカユニット３の構成を示す背面側の斜視図である。
本実施の形態の表示装置１は、実施の形態１の表示装置１と略同様の構成である。以下では、実施の形態１との差異について説明し、その他、実施の形態１に対応する部分には同一符号を付してそれらの説明を省略する。
【００６３】
スピーカユニット３の支持体３２には、嵌合凹部３３，３４が設けられていない。故に、支持体３２における開口３２３，３２３の形成位置は、実施の形態１の開口３２３，３２３の形成位置よりも後ろ側である。このような支持体３２は形状がシンプルである。
スピーカユニット３の支持体３２にスタンド２０１，２０２の支柱部２１，２１を取り付けると、スピーカユニット３の前部が、表示部１１よりも前方に突出する。
【００６４】
最後に、本発明の実施の形態についてまとめる。
【００６５】
本発明に係る表示装置１は、表示部１１と、表示部１１に取り付けられている支柱部２１，２１、及び支柱部２１，２１を支持する脚部２２，２２を有するスタンド２０１，２０２と、スピーカ３１，３１，…、及びスピーカ３１，３１，…を支持する支持体３２を有するスピーカユニット３とを備える表示装置１において、支柱部２１，２１及び支持体３２夫々には、相互に嵌合する位置決め凸部４，４及び位置決め凹部５，５が設けられており、支持体３２は支柱部２１，２１に取り付けられていることを特徴とする。
【００６６】
本発明に係る表示装置１は、支持体３２（又は支柱部２１，２１）には、一端側の開口が支柱部２１，２１（又は支持体３２）に臨む弾性筒状部材５１が配されており、位置決め凹部５，５は弾性筒状部材５１の内部を用いてなり、位置決め凸部４，４は、先端部分が先細りの柱状部４１を有し、柱状部４１に溝４３，４３，…が周設されており、柱状部４１の最大外径は弾性筒状部材５１の内径以上であり、柱状部４１が弾性筒状部材５１の内部に対して嵌脱可能に嵌合していることを特徴とする。
【００６７】
本発明に係る表示装置１は、支持体３２は棒状をなし、長さ方向に交差する方向の溝状の嵌合凹部３３，３４が設けられており、嵌合凹部３３，３４に支柱部２１，２１が嵌合してあることを特徴とする。
【００６８】
本発明に係る表示装置１は、スタンド２０１，２０２を２個備えており、位置決め凸部４，４は凸状であって支柱部２１，２１に設けられており、位置決め凹部５，５は凹状であって支持体３２に２個設けられており、支持体３２は、２個のスタンド２０１，２０２夫々の支柱部２１，２１に亘って取り付けられていることを特徴とする。
【００６９】
本発明に係る表示装置１は、位置決め凹部５，５は凹状であって支柱部２１，２１に設けられており、位置決め凸部４，４は凸状であって支持体３２に設けられていることを特徴とする。
【００７０】
本発明の実施の形態に係るテレビジョン受信機は、本発明に係る表示装置１と、テレビジョン放送を受信する受信部１２とを備え、受信部１２にて受信したテレビジョン放送に基づいて、表示装置１に映像を表示するようにしてあることを特徴とする。
【００７１】
本発明にあっては、特許文献１に記載のスピーカ内蔵テレビスタンドとは異なり、スピーカユニットが表示部とスタンドとの間に介在していない。スピーカユニットの支持体は、表示部とは別に、スタンドの支柱部に取り付けられている。つまり、スタンドが表示部を支持する機能とスピーカユニットの有無とは無関係である。
以上のことから、表示部の構造、及び、スタンドにおける表示部と連結すべき部分の構造は、スピーカユニットを備えているタイプとスピーカユニットを備えていないタイプとで共通化を図ることが可能である。
【００７２】
ところで、スタンドの支柱部には、相互に嵌合する位置決め部の一方が設けられており、他方はスピーカユニットの支持体に設けられている。
スタンドの支柱部とスピーカユニットの支持体とは、取り付けの際に、位置決め部同士の嵌合によって位置決めされる。故に、表示装置の組み立ての作業性が高い。
位置決め部同士の嵌合は、一般に、凸状のものと凹状のものとの嵌合である。以下では、凸状の位置決め部を位置決め凸部といい、凹状の位置決め部を地位決め凹部という。
【００７３】
本発明にあっては、スタンドの支柱部及びスピーカユニットの支持体の内、位置決め凹部が設けられている方に、弾性筒状部材が配されている。何故ならば、位置決め凹部は弾性筒状部材の内部を用いてなるからである。
【００７４】
位置決め凸部は位置決め凹部に挿入し易い。何故ならば、位置決め凸部は先端部分が先細りだからである。また、位置決め凸部に溝が形成されている分、位置決め凸部と位置決め凹部の内面との挿入時の摩擦が小さいからである。
しかも、位置決め凸部と位置決め凹部との係合が無用に解除されることが抑制されている。何故ならば、位置決め凹部に位置決め凸部が挿入されることによって、弾性筒状部材が押し広げられるので、弾性筒状部材の弾性復元力が位置決め凸部を固定するからである。
【００７５】
本発明にあっては、スピーカユニットの支持体は、横姿勢でスタンドの支持部に取り付けられている棒状である。つまり、スピーカユニットは横棒状のスピーカユニット（即ちサウンドバー）である。
スピーカユニットの支持体には、スタンドの支持部に設けられている嵌合凹部に嵌め合わされている。このため、スピーカユニットとスタンドとの連結部分をコンパクトに構成することができる。
【００７６】
本発明にあっては、スピーカユニットに２個のスタンドを取り付けてから、表示部に２個のスタンドを取り付けることが望ましい。
スピーカユニットに２個のスタンドを取り付ける場合、位置決め凹部は被取り付け側であるスピーカユニットの支持体に設けられている。故に、位置決め凸部の位置決め凹部に対する挿入が容易である。
スピーカユニットの支持体は、２個のスタンドの支柱部に亘って取り付けられる。この結果、２個のスタンドがスピーカユニットを介して一体化される。故に、２個のスタンドを同時的に表示部に取り付ける作業が容易である。
【００７７】
本発明にあっては、表示部にスタンドを取り付けてから、スタンドにスピーカユニットを取り付けることが望ましい。
表示部に対するスタンドの取り付けは、スピーカユニットを備えていない従来の表示装置を組み立てる場合と同様に行なうことができる。
スタンドにスピーカユニットを取り付ける場合、位置決め凹部は被取り付け側であるスタンドの支柱部に設けられている。故に、位置決め凸部の位置決め凹部に対する挿入が容易である。
【００７８】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
また、本発明の効果がある限りにおいて、表示装置１に、実施の形態１〜３に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００７９】
１    表示装置
１１  表示部
２０１，２０２  スタンド
２１  支柱部
２２  脚部
３    スピーカユニット
３１  スピーカ
３２  支持体
３３，３４  嵌合凹部
４    位置決め凸部（位置決め部）
４１  柱状部
４３  溝
５    位置決め凹部（位置決め部）
５１  弾性筒状部材
【図１】
2015230460.tif 000003
【図２】
2015230460.tif 000004
【図３】
2015230460.tif 000005
【図４】
2015230460.tif 000006
【図５】
2015230460.tif 000007
【図６】
2015230460.tif 000008
【図７】
2015230460.tif 000009
【図８】
2015230460.tif 000010
【図９】
2015230460.tif 000011
【図１０】
2015230460.tif 000012
【図１１】
2015230460.tif 000013